【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
少なくとも位置情報とそれに対応した交通情報とが格納されるデータベースと、
１又は複数のナビゲーション端末から送信されてくる位置情報及び速度情報を受信し、前記位置情報及び速度情報を処理して前記データベースに格納し、又は該当するデータを更新するデータ処理手段を備え、
前記データ処理手段は、速度情報として所定時間毎の平均速度を入力すると、その平均速度と、前記データベースに既に構築されている対応する位置における平均速度とを加重平均により新たな平均速度を求めてデータベースのデータを更新することを特徴とするナビゲーション用データ管理サーバー。
【請求項２】
少なくとも位置情報とそれに対応した交通情報とが格納されるデータベースと、
１又は複数のナビゲーション端末から送信されてくる位置情報及び速度情報を受信し、前記位置情報及び速度情報を処理して前記データベースに格納し、又は該当するデータを更新するデータ処理手段を備え、
前記データ処理手段は、速度情報として予め設定された地域の平均速度を入力すると、その平均速度と、前記データベースに既に構築されている対応する位置における平均速度とを加重平均により新たな平均速度を求めてデータベースのデータを更新することを特徴とするナビゲーション用データ管理サーバー。
【請求項３】
前記データ処理手段は、新たな平均速度を求めると、その平均速度を、渋滞の程度を示す渋滞度数に変換し、前記データベースに格納し、又は該当するデータを更新することを特徴とする請求項１又は２記載のナビゲーション用データ管理サーバー。
【請求項４】
前記データ処理手段は、前記ナビゲーション端末からの要求があると、その要求に対応したデータをデータベースから読み出して前記ナビゲーション端末に送信させることを特徴とする請求項１乃至３の何れかに記載のナビゲーション用データ管理サーバー。
【請求項５】
前記データ処理手段は、前記ナビゲーション端末から走行予定経路の交通情報の送信要求があると、その走行予定経路のリンクとそれに対応した交通情報を前記ナビゲーション端末に送信させることを特徴とする請求項４記載のナビゲーション用データ管理サーバー。
【請求項６】
前記データ処理手段は、前記ナビゲーション端末から交通情報の送信要求があると、前記ナビゲーション端末の位置の周辺の交通情報を前記ナビゲーション端末に送信させることを特徴とする請求項４記載のナビゲーション用データ管理サーバー。
【請求項７】
前記データ処理手段は、前記交通情報として前記渋滞度数を前記ナビゲーション端末に送信させることを特徴とする請求項３乃至６の何れかに記載のナビゲーション用データ管理サーバー。
【請求項８】
表示装置と、
ナビゲーション用データ管理サーバーと通信するための通信装置と、
現在位置を検出するための位置検出手段と、
移動速度を検出するための速度計測手段と、
前記位置検出手段により検出された現在位置、及び前記速度計測手段により検出された移動速度による速度情報を前記通信装置によってナビゲーション用データ管理サーバーに送信させるデータ処理手段と
を備え、
前記データ処理手段は、前記速度情報として所定時間毎の平均速度を計測して送信させることを特徴とするナビゲーション端末。
【請求項９】
表示装置と、
ナビゲーション用データ管理サーバーと通信するための通信装置と、
現在位置を検出するための位置検出手段と、
移動速度を検出するための速度計測手段と、
前記位置検出手段により検出された現在位置、及び前記速度計測手段により検出された移動速度による速度情報を前記通信装置によってナビゲーション用データ管理サーバーに送信させるデータ処理手段と
を備え、
前記データ処理手段は、前記速度情報として予め設定された地域の平均速度を計測して送信させることを特徴とするナビゲーション端末。
【請求項１０】
前記データ処理手段は、走行予定経路のデータをナビゲーション用データ管理サーバーに送信して、その走行予定経路の交通情報を受信することを特徴とする請求項８又は９記載のナビゲーション端末。
【請求項１１】
前記データ処理手段は、現在位置の周辺の交通情報を受信することを特徴とする請求項８又は９記載のナビゲーション端末。
【請求項１２】
前記データ処理手段は、前記交通情報を受信すると、前記交通情報を、前記表示装置に表示された地図画像の該当する位置に重ねて表示させることを特徴とする請求項１０又は１１記載のナビゲーション端末。
【請求項１３】
地図データベースを備え、前記データ処理手段は、出発地と目的地とが与えられると、前記地図データベースの地図データと、前記ナビゲーション用データ管理サーバーから送信されてきた交通情報とに基づいて走行予定経路を求めることを特徴とする請求項８乃至１２の何れかに記載のナビゲーション端末。
【請求項１４】
請求項１乃至７の何れかに記載の前記ナビゲーション用データ管理サーバーのデータ処理手段を中央処理装置に行わせることを特徴とするプログラム。
【請求項１５】
請求項８乃至１３の何れかに記載の前記ナビゲーション端末のデータ処理手段を中央処理装置に行わせることを特徴とするプログラム。
【手続補正２】
【補正対象書類名】明細書
【補正対象項目名】０００６
【補正方法】変更
【補正の内容】
【０００６】
【課題を解決するための手段】
本発明の一つの態様に係るナビゲーション用データ管理サーバーは、少なくとも位置情報とそれに対応した交通情報とが格納されるデータベースと、１又は複数のナビゲーション端末から送信されてくる位置情報及び速度情報を受信し、位置情報及び速度情報を処理して前記データベースに格納し、又は該当するデータを更新するデータ処理手段を備え、前記データ処理手段は、速度情報として所定時間毎の平均速度を入力すると、その平均速度と、前記データベースに既に構築されている対応する位置における平均速度とを加重平均により新たな平均速度を求めてデータベースのデータを更新する。本発明においては、ナビゲーション端末から送信されてくる位置情報及び速度情報を受信してデータベースを構築することにより、ＶＩＣＳ等の道路交通情報システムがカバーしていない領域においても、ナビゲーション端末に対して有用な交通情報を提供することができる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明の他の態様に係るナビゲーション用データ管理サーバーは、少なくとも位置情報とそれに対応した交通情報とが格納されるデータベースと、１又は複数のナビゲーション端末から送信されてくる位置情報及び速度情報を受信し、前記位置情報及び速度情報を処理して前記データベースに格納し、又は該当するデータを更新するデータ処理手段を備え、前記データ処理手段は、速度情報として予め設定された地域の平均速度を入力すると、その平均速度と、前記データベースに既に構築されている対応する位置における平均速度とを加重平均により新たな平均速度を求めてデータベースのデータを更新する。
【手続補正５】
【補正対象書類名】明細書
【補正対象項目名】０００９
【補正方法】変更
【補正の内容】
【０００９】
本発明の他の態様に係るナビゲーション用データ管理サーバーにおいて、データ処理手段は、新たな平均速度を求めると、その平均速度を、渋滞の程度を示す渋滞度数に変換し、データベースに格納し又は該当するデータを更新する。
【手続補正６】
【補正対象書類名】明細書
【補正対象項目名】００１０
【補正方法】変更
【補正の内容】
【００１０】
本発明の他の態様に係るナビゲーション用データ管理サーバーにおいて、データ処理手段は、ナビゲーション端末からの要求があると、その要求に対応したデータをデータベースから読み出してナビゲーション端末に送信させる。
【手続補正７】
【補正対象書類名】明細書
【補正対象項目名】００１１
【補正方法】変更
【補正の内容】
【００１１】
本発明の他の態様に係るナビゲーション用データ管理サーバーにおいて、データ処理手段は、ナビゲーション端末から走行予定経路の交通情報の送信要求があると、その走行予定経路のリンクとそれに対応した交通情報をナビゲーション端末に送信させる。
【手続補正８】
【補正対象書類名】明細書
【補正対象項目名】００１２
【補正方法】変更
【補正の内容】
【００１２】
本発明の他の態様に係るナビゲーション用データ管理サーバーにおいて、データ処理手段は、ナビゲーション端末から交通情報の送信要求があると、ナビゲーション端末の位置の周辺の交通情報をナビゲーション端末に送信させる。
【手続補正９】
【補正対象書類名】明細書
【補正対象項目名】００１３
【補正方法】変更
【補正の内容】
【００１３】
本発明の他の態様に係るナビゲーション用データ管理サーバーにおいて、データ処理手段は、交通情報として渋滞度数をナビゲーション端末に送信させる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明の他の態様に係るナビゲーション端末は、表示装置と、ナビゲーション用データ管理サーバーと通信するための通信装置と、現在位置を検出するための位置検出手段と、移動速度を検出するための速度計測手段と、位置検出手段により検出された現在位置、及び速度計測手段により検出された移動速度による速度情報を通信装置によってデータ管理サーバーに送信するデータ処理手段とを備え、データ処理手段は、速度情報として所定時間毎の平均速度を計測して送信させる。
【手続補正１３】
【補正対象書類名】明細書
【補正対象項目名】００１７
【補正方法】変更
【補正の内容】
【００１７】
本発明の他の態様に係るナビゲーション端末は、表示装置と、ナビゲーション用データ管理サーバーと通信するための通信装置と、現在位置を検出するための位置検出手段と、移動速度を検出するための速度計測手段と、位置検出手段により検出された現在位置、及び速度計測手段により検出された移動速度による速度情報を通信装置によってデータ管理サーバーに送信するデータ処理手段とを備え、前記データ処理手段は、速度情報として予め設定された地域の平均速度を計測して送信させる。
【手続補正１４】
【補正対象書類名】明細書
【補正対象項目名】００１８
【補正方法】変更
【補正の内容】
【００１８】
本発明の他の態様に係るナビゲーション端末において、データ処理手段は、走行予定経路のデータをデータ管理サーバーに送信して、その走行予定経路の交通情報を受信する。
【手続補正１５】
【補正対象書類名】明細書
【補正対象項目名】００１９
【補正方法】変更
【補正の内容】
【００１９】
本発明の他の態様に係るナビゲーション端末において、データ処理手段は、現在位置の周辺の交通情報を受信する。
【手続補正１６】
【補正対象書類名】明細書
【補正対象項目名】００２０
【補正方法】変更
【補正の内容】
【００２０】
本発明の他の態様に係るナビゲーション端末において、データ処理手段は、交通情報を受信すると、その交通情報を、表示装置に表示された地図画像の該当する位置に重ねて表示させる。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
本発明の他の態様に係るナビゲーション端末は、地図データベースを備え、データ処理手段は、出発地と目的地とが与えられると、地図データベースの地図データと、ナビゲーション用データ管理サーバーから送信されてきた交通情報とに基づいて走行予定経路を求める。
【手続補正１９】
【補正対象書類名】明細書
【補正対象項目名】００２３
【補正方法】変更
【補正の内容】
【００２３】
本発明の他の態様に係るプログラムは、上記のナビゲーション用データ管理サーバーのデータ処理手段を中央処理装置に行わせるものである。
【手続補正２０】
【補正対象書類名】明細書
【補正対象項目名】００２４
【補正方法】変更
【補正の内容】
【００２４】
本発明の他の態様に係るプログラムは、上記のナビゲーション端末のデータ処理手段を中央処理装置に行わせるものである。